(57)【要約】【課題】操作者が、顧客用の装置（情報処理装置）の構成を気にすることなく、操作者用の表示制御装置を操作することで顧客に対して効果的に画像を表示することを目的とする。【解決手段】表示制御装置の表示装置に表示されている複数の画像の表示画像情報を表示制御装置より受信する受信手段と、受信手段で受信された表示画像情報と、自装置の表示装置の構成情報と、に応じて、表示画像情報で示される複数の画像を自装置のどの表示装置に表示するかを決定する決定手段と、決定手段での決定に基づいて、表示画像情報で示される複数の画像を自装置の表示装置に表示する表示手段と、を有することによって課題を解決する。【選択図】図７
2011086239.tif 000002
【特許請求の範囲】
【請求項１】
表示制御装置の表示装置に表示されている複数の画像の表示画像情報を前記表示制御装置より受信する受信手段と、
前記受信手段で受信された前記表示画像情報と、自装置の表示装置の構成情報と、に応じて、前記表示画像情報で示される複数の画像を自装置のどの表示装置に表示するかを決定する決定手段と、
前記決定手段での決定に基づいて、前記表示画像情報で示される複数の画像を自装置の表示装置に表示する表示手段と、
を有する、情報処理装置。
【請求項２】
前記表示画像情報には、表示制御装置の表示装置に表示されている複数のサムネイル画像の情報と、前記複数のサムネイル画像の中から選択された詳細表示画像の情報と、が含まれ、
前記決定手段は、前記受信手段で受信された前記表示画像情報と、自装置の表示装置の構成情報と、に応じて、前記複数のサムネイル画像を自装置のどの表示装置に表示し、前記詳細表示画像を自装置のどの表示装置に表示するかを決定する、請求項１記載の情報処理装置。
【請求項３】
情報処理装置が実行する画像表示方法であって、
表示制御装置の表示装置に表示されている複数の画像の表示画像情報を前記表示制御装置より受信する受信ステップと、
前記受信ステップで受信された前記表示画像情報と、自装置の表示装置の構成情報と、に応じて、前記表示画像情報で示される複数の画像を自装置のどの表示装置に表示するかを決定する決定ステップと、
前記決定ステップでの決定に基づいて、前記表示画像情報で示される複数の画像を自装置の表示装置に表示する表示ステップと、
を含む、画像表示方法。
【請求項４】
コンピュータを、
表示制御装置の表示装置に表示されている複数の画像の表示画像情報を前記表示制御装置より受信する受信手段と、
前記受信手段で受信された前記表示画像情報と、自装置の表示装置の構成情報と、に応じて、前記表示画像情報で示される複数の画像を自装置のどの表示装置に表示するかを決定する決定手段と、
前記決定手段での決定に基づいて、前記表示画像情報で示される複数の画像を自装置の表示装置に表示する表示手段と、
して機能させる、プログラム。
【発明の詳細な説明】
【技術分野】
【０００１】
本発明は、情報処理装置及び画像表示方法に関する。
【背景技術】
【０００２】
プレゼンテーションシステムでは、撮影した写真を基に、アルバムの作成を顧客と共にリアルタイムで行うことにより、各顧客に特化した商品の作成を行うことができ、顧客満足度の向上を図っている。また、プレゼンテーションシステムでは、顧客に対して効果的なプレゼンテーションを行うことで、より多くの商品に対して購入意欲を向上させることを目的としている。
ここで、プレゼンテ−ションシステムは、操作者用表示制御装置と、顧客用撮影画像表示装置と、がネットワークを介して通信可能に接続されている。
操作者用表示制御装置は、写真館のオペレータが写真の選択や商材へのレイアウトを行うための装置であり、オペレータの操作を円滑に進めることに主眼が置かれている。
顧客用撮影画像表示装置は、操作者用表示制御装置で選択された写真や商材を顧客に表示するための装置であり、顧客への効果的なプレゼンテーションを行うことに主眼が置かれている。
【先行技術文献】
【特許文献】
【０００３】
【特許文献１】特開２００７−４６１１号公報
【発明の概要】
【発明が解決しようとする課題】
【０００４】
従来では操作者は常に、操作者用表示制御装置の操作画面と顧客用撮影画像表示装置の表示画面とを意識しなければならず操作者側の負担が大きい問題があった。
【０００５】
本発明はこのような問題点に鑑みなされたもので、操作者が、顧客用の装置（情報処理装置）の構成を気にすることなく、操作者用の表示制御装置を操作することで顧客に対して効果的に画像を表示することを目的とする。
【課題を解決するための手段】
【０００６】
そこで、本発明の情報処理装置は、表示制御装置の表示装置に表示されている複数の画像の表示画像情報を前記表示制御装置より受信する受信手段と、前記受信手段で受信された前記表示画像情報と、自装置の表示装置の構成情報と、に応じて、前記表示画像情報で示される複数の画像を自装置のどの表示装置に表示するかを決定する決定手段と、前記決定手段での決定に基づいて、前記表示画像情報で示される複数の画像を自装置の表示装置に表示する表示手段と、を有する。
【発明の効果】
【０００７】
本発明によれば、操作者が、顧客用の装置（情報処理装置）の構成を気にすることなく、操作者用の表示制御装置を操作することで顧客に対して効果的に画像を表示することができる。
【図面の簡単な説明】
【０００８】
【図１】プレゼンテ−ションシステムのシステム構成の一例を示す図である。
【図２】操作者用表示制御装置のハードウェア構成の一例を示す図である。
【図３】第一の実施形態における顧客用撮影画像表示装置のハードウェア構成の一例を示す図である。
【図４】操作者用表示制御装置で表示される画面の一例を示す図である。
【図５】第一の実施形態における顧客用撮影画像表示装置で表示される画面の一例を示す図である。
【図６】操作者用表示制御装置から顧客用表示制御装置に送信される表示画像情報の一例を示す図である。
【図７】第一の実施形態における操作者用表示制御装置と顧客用表示制御装置との画像表示に関する同期処理の一例を示すフローチャートである。
【図８】第二の実施形態における顧客用撮影画像表示装置のハードウェア構成の一例を示す図である。
【図９】第二の実施形態における顧客用撮影画像表示装置で表示される画面の一例を示す図である。
【図１０】第二の実施形態における操作者用表示制御装置と顧客用表示制御装置との画像表示に関する同期処理の一例を示すフローチャートである。
【発明を実施するための形態】
【０００９】
以下、本発明の実施形態について図面に基づいて説明する。
【００１０】
＜第一の実施形態＞
以下、第一の実施形態を、図１〜図７を用いて説明する。
図１は、プレゼンテ−ションシステムのシステム構成の一例を示す図である。
図１に示されるように、プレゼンテ−ションシステムは、操作者用表示制御装置１０１と、顧客用撮影画像表示装置１０２と、情報記憶装置１０３と、を含む。操作者用表示制御装置１０１と、顧客用撮影画像表示装置１０２と、情報記憶装置１０３と、はネットワーク１０４を介して互いに通信可能に接続されている。
操作者用表示制御装置１０１は、ネットワーク１０４を介し、表示画像情報を顧客用撮影画像表示装置１０２に送信し、情報記憶装置１０３への情報の保存及び情報記憶装置１０３からの情報の取得を行う。
顧客用撮影画像表示装置１０２は、ネットワーク１０４を介し、表示画像情報を操作者用表示制御装置１０１から受信し、情報記憶装置１０３から情報の取得を行う。
情報記憶装置１０３は、操作者用表示制御装置１０１及び顧客用撮影画像表示装置１０２で使用するデータを保存する。
【００１１】
図２は、操作者用表示制御装置のハードウェア構成の一例を示す図である。
ネットワークアダプタ２０１は、ネットワーク１０４を介して操作者用表示制御装置１０１と顧客用撮影画像表示装置１０２との通信を制御する。
ＣＰＵ（Ｃｅｎｔｒａｌ  Ｐｒｏｃｅｓｓｉｎｇ  Ｕｎｉｔ）２０２は、操作者用表示制御装置１０１の全体を制御する。
ＲＡＭ（Ｒａｎｄｏｍ  Ａｃｃｅｓｓ  Ｍｅｍｏｒｙ）２０３は、プログラムや通信データ等を一時的に記録する。
ハードディスク２０４は、プログラムやデータを永続的に記録する。
ディスプレイ２０５は、情報を表示する。
ＣＰＵ２０２が、ハードディスク２０４等に記憶されているプログラムをＲＡＭ２０３に読み出し、実行することによって、後述する操作者用表示制御装置１０１の機能及び操作者用表示制御装置１０１が実行するフローチャートに係る処理が実現される。
【００１２】
図３は、第一の実施形態における顧客用撮影画像表示装置のハードウェア構成の一例を示す図である。
ネットワークアダプタ３０１は、ネットワーク１０４を介して顧客用撮影画像表示装置１０２と操作者用表示制御装置１０１との通信を制御する。
ＣＰＵ３０２は、顧客用撮影画像表示装置１０２の全体を制御する。
ＲＡＭ３０３は、プログラムや通信データ等を一時的に記録する。
ハードディスク３０４は、顧客用撮影画像表示装置１０２を制御するプログラムやデータを永続的に記録する。
ディスプレイ（第１ディスプレイ）３０５及びディスプレイ（第２ディスプレイ）３０６は、情報を表示する。
ＣＰＵ３０２が、ハードディスク３０４等に記憶されているプログラムをＲＡＭ３０３に読み出し、実行することによって、後述する顧客用撮影画像表示装置１０２の機能及び顧客用撮影画像表示装置１０２が実行するフローチャートに係る処理が実現される。
【００１３】
図４は、操作者用表示制御装置で表示される画面の一例を示す図である。
図４の（Ａ）では、複数存在する画像のうち１つの画像を詳細表示することを目的とする画面を示している。
４０１は、第１画面の全体構成である。
４０２は、第１画面へ表示を切り替えるタブである。
４０３は、第２画面へ表示を切り替えるタブである。
４０４は、選択した画像の詳細を表示する領域である。
４０５、４０６、４０７、４０８は、それぞれ領域４０４に表示することができる画像である。図４の（Ａ）の例では４０５の画像を領域４０４に表示している。
図４の（Ｂ）では、複数存在する画像のうち２つの画像を詳細表示して比較することを目的とする画面を示している。
５０１は、第２画面の全体構成である。
５０２は、第１画面へ表示を切り替えるタブである。
５０３は、第２画面へ表示を切り替えるタブである。
５０４は、選択した画像の詳細を表示する領域である。
５０５は、領域５０４と同じく選択した画像の詳細を表示する領域である。
５０６、５０７、５０８、５０９は、それぞれ領域５０４、領域５０５に表示することができる画像である。５０６、５０７、５０８、５０９には、それぞれ４０５、４０６、４０７、４０８と同じ画像が表示される。図４の例では５０６の画像は領域５０４に、５０７の画像は領域５０５に表示されている。
【００１４】
図５は、第一の実施形態における顧客用撮影画像表示装置で表示される画面の一例を示す図である。
図５の（Ａ）の６０１は、第３画面の全体構成である。
６０６、６０７、６０８、６０９は、画像のサムネイルである。それぞれ第１画面の４０５、４０６、４０７、４０８、第２画面の５０６、５０７、５０８、５０９と同じ画像が表示される。
図５の（Ｂ）の７０１は、第４画面の全体構成である。
７０２は、拡大した画像を表示する領域である。図５の（Ｂ）の例では画像Ａ６０２が領域７０２に表示されている。
図５の（Ｃ）の８０１は、第５画面の全体構成である。
８０２は、拡大した画像を表示する領域である。図５の（Ｃ）の例では画像Ａ６０２を領域８０２に表示されている。
８０３は、拡大した画像を表示する領域である。図５の（Ｃ）の例では画像Ｂ６０３が領域８０３に表示されている。
【００１５】
図６は、操作者用表示制御装置から顧客用表示制御装置に送信される表示画像情報の一例を示す図である。
９０１は、送信される情報の一覧である。
９０２は、表示サムネイル画像の情報である。図６の（Ａ）の例では、表示されている全ての画像のＩＤがカンマ区切りの形式で送信されている。
９０３は、画像のＵＲＬである。図６の（Ａ）の例では、表示されている全ての画像のＵＲＬがカンマ区切りの形式で送信されている。
９０４は、詳細表示を行う画像のＩＤである。図６の（Ａ）の例では、詳細表示を行う画像のＩＤとしてＡが送信されている。
１００１は、送信される情報の一覧である。
１００２は、表示サムネイル画像の情報である。図６の（Ｂ）の例では、表示されている全ての画像のＩＤがカンマ区切りの形式で送信されている。
１００３は、画像のＵＲＬである。図６の（Ｂ）の例では、表示されている全ての画像のＵＲＬがカンマ区切りの形式で送信されている。
１００４は、詳細表示を行う画像のＩＤである。図６の（Ｂ）の例では、詳細表示を行う画像のＩＤとしてＡ，Ｂが送信されている。
【００１６】
図７は、第一の実施形態における操作者用表示制御装置と顧客用表示制御装置との画像表示に関する同期処理の一例を示すフローチャートである。
操作者用表示制御装置１０１は、操作者からの操作に基づき起動し（Ｓ１１０１）、ディスプレイ２０５に第１画面を表示する（Ｓ１１０２）。例えば、操作者用表示制御装置１０１は、ディスプレイ２０５に画面４０１を表示する。
同様に、顧客用撮影画像表示装置１０２は、操作者からの操作に基づき起動する（Ｓ１１０３）。操作者用表示制御装置１０１は、ディスプレイ２０５の画面に表示している画像の情報（表示画像情報）を顧客用撮影画像表示装置１０２に送信する（Ｓ１１０４）。例えば、操作者用表示制御装置１０１は、情報９０１を顧客用撮影画像表示装置１０２に送信する。
顧客用撮影画像表示装置１０２は、情報９０１を受信した後、受信した情報と、自身のディスプレイ構成（構成情報）と、に応じて最適な画像の表示方法を選択（又は決定）する（Ｓ１１０５）。本実施形態の例では、顧客用撮影画像表示装置１０２には、ディスプレイ３０５と、ディスプレイ３０６と、の２つのディスプレイがある構成である。また、顧客用撮影画像表示装置１０２は、受信した情報より複数のサムネイル画像と詳細表示画像とを表示する必要があることが分かる。そのため、顧客用撮影画像表示装置１０２は、片方の画面（ディスプレイ３０５）にサムネイル画像を表示し、もう一方の画面（ディスプレイ３０６）に詳細表示画像を表示することが、最適な構成だと判断する。なお、構成情報は、例えば、顧客用撮影画像表示装置１０２のハードディスク等に記憶されているものとする。
顧客用撮影画像表示装置１０２は、受信した情報９０１に基づき、Ｓ１１０５で選択した表示方法で、画像を画面に表示する。より具体的に説明すると、顧客用撮影画像表示装置１０２は、ディスプレイ３０５に第３画面６０１を表示し（Ｓ１１０６）、ディスプレイ３０６に第４画面７０１を表示する（Ｓ１１０７）。なお、顧客用撮影画像表示装置１０２は、受信した情報に含まれる画像のＵＲＩに基づき、情報記憶装置１０３より画像を取得し、表示する。
【００１７】
一定の業務が進めた後、操作者は、画像の比較を行い顧客に画像を選んでもらう。
操作者用表示制御装置１０１は、操作者からのタブ４０３の選択操作に基づき、画面４０１を画面５０１に切り替える（Ｓ１１０８）。操作者用表示制御装置１０１は、ディスプレイ２０５の画面に表示している画像の情報（表示画像情報）を顧客用撮影画像表示装置１０２に送信する（Ｓ１１０９）。例えば、操作者用表示制御装置１０１は、情報１００１を顧客用撮影画像表示装置１０２に送信する。
顧客用撮影画像表示装置１０２は、情報１００１を受信した後、受信した情報と、自身のディスプレイ構成と、に応じて最適な画像の表示方法を選択する（Ｓ１１１０）。本実施形態の例では、顧客用撮影画像表示装置１０２には、ディスプレイ３０５と、ディスプレイ３０６と、の２つのディスプレイがある構成である。また、顧客用撮影画像表示装置１０２は、受信した情報より複数のサムネイル画像と詳細表示画像とを表示する必要があることが分かる。そのため、顧客用撮影画像表示装置１０２は、片方の画面（ディスプレイ３０５）にサムネイル画像を表示し、もう一方の画面（ディスプレイ３０６）に詳細表示画像を表示することが、最適な構成だと判断する。
顧客用撮影画像表示装置１０２は、既にディスプレイ３０５に第３画面６０１を表示しているためディスプレイ３０５の表示は切り替えず、ディスプレイ３０６に第５画面８０１を表示する（Ｓ１１１１）。
【００１８】
顧客の要望等によりその他の画像の比較を行いたい場合、操作者は、操作者用表示制御装置１０１の画面５０１を介して、その他の画像の詳細を表示するよう操作する。ここでは画像Ｃ５０８と画像Ｄ５０９との詳細を表示するよう操作したものとする。操作者用表示制御装置１０１は、操作者の操作に基づき、ディスプレイ２０５の画面に画像Ｃ５０８と画像Ｄ５０９との詳細を表示する（Ｓ１１１２）。操作者用表示制御装置１０１は、ディスプレイ２０５の画面に表示している画像の情報（表示画像情報）を顧客用撮影画像表示装置１０２に送信する（Ｓ１１１３）。例えば、操作者用表示制御装置１０１は、情報１００１の詳細表示画像Ａ，ＢをＣ，Ｄに置き換えた情報を顧客用撮影画像表示装置１０２に送信する。
顧客用撮影画像表示装置１０２は、前記情報を受信した後、受信した情報と、自身のディスプレイ構成と、に応じて最適な画像の表示方法を選択する（Ｓ１１１４）。本実施形態の例では、顧客用撮影画像表示装置１０２には、ディスプレイ３０５と、ディスプレイ３０６と、の２つのディスプレイがある構成である。また、顧客用撮影画像表示装置１０２は、受信した情報より複数のサムネイル画像と詳細表示画像とを表示する必要があることが分かる。そのため、顧客用撮影画像表示装置１０２は、片方の画面（ディスプレイ３０５）にサムネイル画像を表示し、もう一方の画面（ディスプレイ３０６）に詳細表示画像を表示することが、最適な構成だと判断する。
顧客用撮影画像表示装置１０２は、既にディスプレイ３０５に第３画面６０１を表示しており、またディスプレイ３０６に第５画面８０１を表示しているため、顧客用撮影画像表示装置１０２は、画面の切り替えは行わず表示する詳細画像のみを変更する。より具体的に説明すると、顧客用撮影画像表示装置１０２は、第５画面８０１に画像Ｃ５０８、画像Ｄ５０９の詳細情報を表示する（Ｓ１１１５）。
【００１９】
＜第二の実施形態＞
以下、本発明の実施の形態を、図８〜図１０を用いて説明する。
本実施形態の例では、操作者用表示制御装置１０１の構成はそのままで、顧客用撮影画像表示装置１０２のディスプレイを２画面から３画面に切り替えた場合の説明を行う。
図８は、第二の実施形態における顧客用撮影画像表示装置のハードウェア構成の一例を示す図である。
本実施形態の顧客用撮影画像表示装置１０２のハードウェア構成は、図８に示されるように、第一の実施形態の顧客用撮影画像表示装置１０２のハードウェア構成に比べて、ディスプレイ（第３ディスプレイ）３０７が更に含まれている点のみが異なる。
【００２０】
図９は、第二の実施形態における顧客用撮影画像表示装置で表示される画面の一例を示す図である。
図９の（Ａ）の１３０１は、第６画面の全体構成である。
１３０２、１３０３、１３０４、１３０５は、画像のサムネイルである。それぞれ第１画面の４０５、４０６、４０７、４０８、第２画面の５０６、５０７、５０８、５０９と同じ画像が表示される。
図９の（Ｂ）の１４０１は、第７画面の全体構成である。
１４０２は、拡大した画像を表示する領域である。図９の（Ｂ）の例では画像Ａ１３０２が領域１４０２に表示されている。
図９の（Ｃ）の１４０１は、第８画面の全体構成である。
第８画面は、機能を持たず待機画面の役割を担う。
図９の（Ｄ）の１６０１は、第９画面の全体構成である。
１６０２は、拡大した画像を表示する領域である。図９の（Ｄ）の例では画像Ｂ１３０３が領域１６０２に表示されている。
【００２１】
図１０は、第二の実施形態における操作者用表示制御装置と顧客用表示制御装置との画像表示に関する同期処理の一例を示すフローチャートである。操作者の行動及び操作者用表示制御装置１０１の動作は第一の実施形態と同様である。顧客用撮影画像表示装置１０２の動作のみ第一の実施形態と異なる。
Ｓ１７０１〜Ｓ１７０４の処理は、第一の実施形態のＳ１１０１〜Ｓ１１０４の処理と同様であるため説明を省略する。
顧客用撮影画像表示装置１０２は、情報９０１を受信した後、受信した情報と、自身のディスプレイ構成と、に応じて最適な画像の表示方法を選択する（Ｓ１７０５）。本実施形態の例では、顧客用撮影画像表示装置１０２には、ディスプレイ３０５と、ディスプレイ３０６と、ディスプレイ３０７と、の３つのディスプレイ構成である。また、顧客用撮影画像表示装置１０２は、受信した情報より複数のサムネイル画像と詳細表示画像とを表示する必要があることが分かる。そのため、顧客用撮影画像表示装置１０２は、ディスプレイ３０５にサムネイル画像を表示し、残りの画面に詳細表示画像を表示することが、最適な構成だと判断する。
顧客用撮影画像表示装置１０２は、受信した情報９０１に基づき、Ｓ１７０５で選択した表示方法で、画像を画面に表示する。より具体的に説明すると、顧客用撮影画像表示装置１０２は、ディスプレイ３０５に第６画面１３０１を表示し（Ｓ１７０６）、ディスプレイ３０６に第７画面１４０１を表示し（Ｓ１７０７）、ディスプレイ３０７に第８画面１５０１を表示する（Ｓ１７０８）。
【００２２】
Ｓ１７０９及びＳ１７１０の処理は、第一の実施形態のＳ１１０８及びＳ１１０９の処理と同様であるため説明を省略する。
顧客用撮影画像表示装置１０２は、情報１００１を受信した後、受信した情報と、自身のディスプレイ構成と、に応じて最適な画像の表示方法を選択する（Ｓ１７１１）。本実施形態の例では、顧客用撮影画像表示装置１０２には、ディスプレイ３０５と、ディスプレイ３０６と、ディスプレイ３０７と、の３つのディスプレイ構成である。また、顧客用撮影画像表示装置１０２は、受信した情報より複数のサムネイル画像と詳細表示画像とを表示する必要があることが分かる。そのため、顧客用撮影画像表示装置１０２は、ディスプレイ３０５に画像の一覧を表示し、残りの画面に画像の詳細表示をそれぞれ１枚ずつ表示することが、最適な構成だと判断する。
顧客用撮影画像表示装置１０２は、既にディスプレイ３０５に第６画面１３０１を表示しているためディスプレイ３０５の表示は切り替えない。また、顧客用撮影画像表示装置１０２は、ディスプレイ３０６に第７画面１４０１を表示しているためディスプレイ３０６の表示も切り替えない。そのため顧客用撮影画像表示装置１０２は、残りのディスプレイ３０７に第９画面１６０１を表示する（Ｓ１７１２）。
【００２３】
Ｓ１７１３及びＳ１７１４の処理は、第一の実施形態のＳ１１１２及びＳ１１１３の処理と同様であるため説明を省略する。
顧客用撮影画像表示装置１０２は、操作者用表示制御装置１０１より送信された情報を受信した後、受信した情報と、自身のディスプレイ構成と、に応じて最適な画像の表示方法を選択する（Ｓ１７１５）。本実施形態の例では、顧客用撮影画像表示装置１０２には、ディスプレイ３０５と、ディスプレイ３０６と、ディスプレイ３０７と、の３つのディスプレイがある構成である。また、顧客用撮影画像表示装置１０２は、受信した情報より複数のサムネイル画像と詳細表示画像とを表示する必要があることが分かる。そのため、顧客用撮影画像表示装置１０２は、片方の画面（ディスプレイ３０５）にサムネイル画像を表示し、その他の画面に画像の詳細表示を１枚ずつ表示する形式が最適な構成だと判断する。
顧客用撮影画像表示装置１０２は、既にディスプレイ３０５に第６画面１３０１を表示している。また、顧客用撮影画像表示装置１０２は、ディスプレイ３０６に第７画面１４０１を表示している。また、顧客用撮影画像表示装置１０２は、ディスプレイ３０７には第９画面１６０１を表示しているため、画面の切り替えは行わず表示する詳細画像のみを変更する。顧客用撮影画像表示装置１０２は、第７画面１４０１に画像Ｃ５０８の詳細情報を表示し（Ｓ１７１６）、第９画面１６０１に画像Ｄ５０９の詳細情報を表示する（Ｓ１７１７）。
【００２４】
＜その他の実施形態＞
また、上述した実施形態の目的は、上述した実施形態の機能を実現するソフトウェアのプログラムコードを、装置の中央演算処理手段（ＣＰＵやＭＰＵ）が記憶媒体から読み出し実行することによっても達成される。
また、読み出したプログラムコードの指示に基づき、オペレーティングシステム（ＯＳ）等が実際の処理の一部又は全部を行うことで上述した実施形態の機能が実現される場合も含まれる。
上述した実施形態を前記記憶媒体に適用する場合、その記憶媒体（コンピュータ読み取り可能な記憶媒体）には、先に説明したフローチャートに対応するプログラムコードが格納されることになる。
【００２５】
以上、上述した各実施形態によれば、操作者は、顧客用撮影画像表示装置１０２の構成を気にすることなく、操作者用表示制御装置１０１を操作することで顧客に対して効果的に画像を表示することができる。また、上述した各実施形態によれば、プレゼンテ−ションシステムのシステム構成を顧客のニーズに合わせて動的に変更することで、最適な演出を行うことが可能となる。また、上述した各実施形態によれば、顧客との距離が物理的に離れていても対応することができる。
【００２６】
以上、本発明の好ましい実施形態について詳述したが、本発明は係る特定の実施形態に限定されるものではなく、特許請求の範囲に記載された本発明の要旨の範囲内において、種々の変形・変更が可能である。
なお、特許請求の範囲に記載の表示制御装置とは、例えば、上述した操作者用表示制御装置１０１等に対応する。また、特許請求の範囲に記載の情報処理装置（コンピュータ）とは、例えば、上述した顧客用撮影画像表示装置１０２等に対応する。
【符号の説明】
【００２７】
１０１  操作者用表示制御装置、１０２  顧客用撮影画像表示装置
【図１】
2011086239.tif 000003
【図２】
2011086239.tif 000004
【図３】
2011086239.tif 000005
【図４】
2011086239.tif 000006
【図５】
2011086239.tif 000007
【図６】
2011086239.tif 000008
【図７】
2011086239.tif 000009
【図８】
2011086239.tif 000010
【図９】
2011086239.tif 000011
【図１０】
2011086239.tif 000012